(57)【要約】      （修正有）【課題】全体の構成を、より小さくして、携帯しやすくし、簡単な構成にした携帯用具を提供する。【解決手段】先端にＵＳＢコネクタ２を突出させた本体３と、この本体を保護支持する保護支持体４とを備え、本体３が、両横方向に突出する一対の突起を備え、保護支持体４が、ＵＳＢコネクタ２を収納させるための収納凹部８と、突起を回転・摺動可能に係合保持し、本体３の半回転・後方への移動操作によりＵＳＢコネクタ２を収納凹部８に収納案内する一対の係合案内溝９とを備えた携帯用具１。【選択図】図３
0003146474.tif 000002
【実用新案登録請求の範囲】
【請求項１】
平行な一対の平らな面を有する立体状で、前記一対の平らな面から回転・摺動用軸を、前記一対の平らな面以外の面からＵＳＢコネクタをそれぞれ突出させた本体と、
前記ＵＳＢコネクタを収納させるための収納凹部と、前記回転・摺動用軸を係合保持し、本体の半回転・後方への移動操作により前記ＵＳＢコネクタを前記収納凹部に収納案内する一対の係合案内溝とを形成してなる保護支持体と
を備えたことを特徴とする携帯用具。
【請求項２】
本体が、ＵＳＢコネクタを突出させた面とは反対の面に位置決め凸部をさらに備え、
保護支持体が、前記位置決め凸部を係止させる係止凹部をさらに備えたことを特徴とする請求項１に記載の携帯用具。
【請求項３】
前記収納凹部が、前記係止凹部を兼ねることを特徴とする請求項２に記載の携帯用具。
【請求項４】
本体が、ＵＳＢコネクタに接続された半導体チップ、着脱可能なメモリカード、または外部接続端子を内蔵したことを特徴とする請求項１〜３のいずれか１つに記載の携帯用具。
【請求項５】
本体が略矩形板状で、前記一対の平らな面が一対の平らな側面であり、ＵＳＢコネクタが他の一対の平らな側面の内の一つの側面から突出してなり、保護支持体が前記一つの側面を除く他の３つの側面を同一板面上で取り囲むことを特徴とする請求項１〜４のいずれか１つに記載の携帯用具。
【請求項６】
全体の形状が、略円盤状であることを特徴とする請求項５に記載の携帯用具。
【請求項７】
保護支持体が、携帯用ストラップをさらに備えたことを特徴とする請求項１〜６のいずれか１つに記載の携帯用具。
【考案の詳細な説明】
【技術分野】
【０００１】
本考案は、携帯用具に関し、さらに詳しくは、先端にＵＳＢコネクタを突出させた本体と、この本体を保護支持する保護支持体とを備えた携帯用具に関するものである。
【背景技術】
【０００２】
この種の携帯用具として、先端にＵＳＢコネクタを突出させた本体と、この本体に回転摺動可能に支持された保護キャップとを備え、保護キャップを本体に対して回転摺動させることにより、ＵＳＢコネクタを含む本体の大部分を覆って保護するものが提案されている（特許文献１参照）。
【０００３】
また、先端にＵＳＢコネクタを突出させた本体と、この本体を回転可能に偏心支持する保護ケースとを備え、本体を保護ケースに対して回転させることにより、ＵＳＢコネクタを含む本体全体を保護ケース内に引っ込めて保護することができるものも提案されている（特許文献２参照）。
【０００４】
しかし、これら保護キャップまたは保護ケースは、ＵＳＢコネクタだけではなく、ＵＳＢコネクタを含む本体の少なくとも大部分を外側から覆うので、外形寸法が大きくなると共に、保護キャップまたは本体の回転機構（構成）が複雑になるという問題があった。
【特許文献１】特開２００５−１５８７１２号公報
【特許文献２】特開２００５−２６６９５５号公報
【考案の開示】
【考案が解決しようとする課題】
【０００５】
そこで、本考案の主要な目的の１つは、全体の構成を、より小さくして、携帯しやすくすることである。
本考案のもう１つの主要な目的は、簡単な構成の携帯用具を提供することである。
【課題を解決するための手段】
【０００６】
本考案は、平行な一対の平らな面を有する立体状で、前記一対の平らな面から回転・摺動用軸を、前記一対の平らな面以外の面からＵＳＢコネクタをそれぞれ突出させた本体と、
前記ＵＳＢコネクタを収納させるための収納凹部と、前記回転・摺動用軸を係合保持し、本体の半回転・後方への移動操作により前記ＵＳＢコネクタを前記収納凹部に収納案内する一対の係合案内溝とを形成してなる保護支持体と
を備えたことを特徴とする携帯用具を提供する。
【考案の効果】
【０００７】
本考案に係る携帯用具によれば、保護支持体が、本体の全体ではなく、実質的に本体のＵＳＢコネクタのみを収納する（覆う）ので、全体の構成を、より小さくして携帯しやすくすると共に、構成を簡単にできる。勿論、ＵＳＢコネクタを埃や衝撃から保護でき、保護支持体の紛失を防止できる。
【考案を実施するための最良の形態】
【０００８】
本考案は、先端にＵＳＢコネクタを突出させた本体と、この本体を保護支持する保護支持体とを備えた携帯用具を対象とする。
さて、本考案に係る携帯用具は、平行な一対の平らな面を有する立体状で、前記一対の平らな面から回転・摺動用軸を、前記一対の平らな面以外の面からＵＳＢコネクタをそれぞれ突出させた本体と、前記ＵＳＢコネクタを収納させるための収納凹部と、前記回転・摺動用軸を係合保持し、本体の半回転・後方への移動操作により前記ＵＳＢコネクタを前記収納凹部に収納案内する一対の係合案内溝とを形成してなる保護支持体とを備えたことを特徴とする。
【０００９】
ここで、回転・摺動用軸は、本体を、保護支持体に対して回転（回動）および摺動させる一対の突起（丸棒状）であり、それらの突起が両横方向、つまり本体の先後（前後）方向に対して垂直な方向に背向して同軸上に（同一線上に）突出することになる。
一方、一対の係合案内溝は、上記一対の突起を回転・摺動可能に係合保持し、本体の半回転（反転）・後方への移動を案内する溝（ガイドレール）である。
本考案において、本体は、その後端に位置決め凸部をさらに備え、保護支持体が、前記位置決め凸部を係止させる係止凹部をさらに備えると、携帯用具のＵＳＢコネクタを使う場合に、本体と保護支持体とが、より確実に位置決めされ、パソコンへの接続およびその解除などの取り扱いを容易に行えるので好都合である。
【００１０】
ここで、ＵＳＢコネクタを収納できる収納凹部が、位置決め凸部を係止させる上記係止凹部を兼ねると、本体と保護支持体とが、簡単な構造にて確実に位置決めされるので好ましい。
本考案においては、本体がＵＳＢコネクタ（ＵＳＢ端子）を備えているが、本体には、ＵＳＢコネクタに接続される半導体チップを内蔵するか、メモリカード（マイクロＳＤカードなど）を着脱可能に内蔵してもよく、単に外部接続端子を備えてもよい。
本考案において、本体が略矩形板状で、一対の平らな面が一対の平らな側面であり、ＵＳＢコネクタが他の一対の平らな側面の内の一つの側面から突出してなり、保護支持体が前記一つの側面を除く他の３つの側面を同一板面上で取り囲むと、全体を板状に、好ましくは円盤状に形成できるので、携帯用具を薄くでき、携帯に便利である。また、本体と保護支持体との関係構造が簡単になる。
【００１１】
以下、本考案に係る携帯用具の実施の形態を、図に基づいて説明する。
＜実施の形態１＞
図１は本考案に係る携帯用具の実施の形態１を示す斜視図、図２は実施の形態１の分解説明斜視図である。
図３は実施の形態１の使用方法（ＵＳＢコネクタを収納方法）を説明する説明斜視図であり、（Ａ）は本体を持ち上げる過程、（Ｂ）は本体を反転させる過程、（Ｃ）は本体を押し下げる過程、（Ｄ）は最終的にＵＳＢコネクタを収納する過程をそれぞれ示す。
【００１２】
図１および２において、携帯用具１は、先端に、主要機能部としてのＵＳＢコネクタ２を突出させた本体３と、この本体を保護支持する保護支持体４とを備え、全体を硬質合成樹脂にて略矩形板状に構成している。
特に図２において、本体３は、両横方向に突出する一対の突起（回転・摺動用軸・・・円柱状軸または丸棒状軸）５，６を備え、さらにＵＳＢコネクタ２と電気的に接続された半導体チップとしてのＵＳＢフラッシュメモリ（図示省略）を内蔵している。なお、７は、本体３の後端に形成された位置決め凸部である。
同じく図２において、保護支持体４は、ＵＳＢコネクタ２を収納させるための収納凹部８と、突起５，６を回転・摺動可能に係合保持し、本体３の半回転・後方への移動操作によりＵＳＢコネクタ２を収納凹部８に収納案内する一対の係合案内溝９，１０（図示省略）とを備えている。なお、収納凹部８は、位置決め凸部７にも係止でき、それによって、本体３を保護支持体４に位置決めできる。なお、保護支持体４の１１，１２は、本体３[の一対の突起（回転・摺動用軸）５，６]の軸受部になるといえる。
【００１３】
以上の構成からなる携帯用具１は、図１の状態で、ＵＳＢコネクタ２を、パソコンの差込み口（図示省略）に差込むと、ＵＳＢフラッシュメモリに記録されている電子情報をパソコンに送るか、またはパソコンからの電子情報をＵＳＢフラッシュメモリに記録することができる。
さて、携帯用具１は、図１の状態からＵＳＢコネクタ２を保護支持体４に収納できるが、その方法を図３に基づいて具体的に説明する。
【００１４】
図３において、まず、携帯用具１の本体３を手で持ち上げ、位置決め凸部７を収納凹部８から引き抜き[図３の（Ａ）参照]、本体３を反転させる（１８０度回転させる）[図３の（Ｂ）参照]。次いで、本体３を手で押し下げて、ＵＳＢコネクタ２を収納凹部８に収納し、保護する[図３の（Ｃ）および（Ｄ）参照]。
なお、本体３の一対の突起５，６は、一対の係合案内溝９，１０との適切な係合または嵌合により、自由に回転・摺動できない静止状態に保持され、本体３を手で動かすことによって、摺動しながら回転または回動・摺動移動できる。
もちろん、主要機能部としてのＵＳＢコネクタ２を埃や衝撃から保護でき、本体３と保護支持体４が機械的に繋がっているので、一方の紛失を防止できる。
【００１５】
＜実施の形態２＞
図４は、本考案に係る携帯用具の実施の形態２を示す斜視図である。
図４において、携帯用具２１は、先端に、主要機能部としてのＵＳＢコネクタ２２を突出させた本体２３と、この本体を保護支持する保護支持体２４とを備え、全体として円盤状（円板状）に構成している（３２ｍｍφ、厚み７ｍｍ）。
【００１６】
本体２３は、両横方向に突出する一対の突起（回転・摺動用軸）を備え、ＵＳＢコネクタ２２と電気的に接続された半導体チップとしてのＵＳＢフラッシュメモリ２２ａを内蔵している。なお、本体２３の後端に位置決め凸部を形成していることは、実施の形態１と同様であるので図示および説明を省略する。
同じく、保護支持体２４は、ＵＳＢコネクタ２２を収納させるための収納凹部と、突起を回転・摺動可能に係合保持し、本体２３の半回転・後方への移動操作によりＵＳＢコネクタ２２を収納凹部に収納案内する一対の係合案内溝とを備えていること、および収納凹部が位置決め凸部に係止でき、それによって、本体２３を保護支持体２４に位置決めできることは、実施の形態１と同様であるので、図示および説明を省略する。
【００１７】
以上の構成からなる携帯用具２１は、ＵＳＢコネクタ２２を、パソコンの差込み口（図示省略）に差込むと、ＵＳＢフラッシュメモリ２２ａに記録されている電子情報をパソコンに送るか、またはパソコンからの電子情報をＵＳＢフラッシュメモリ２２ａに記録することができる。なお、ＵＳＢコネクタ２２を保護支持体２４に収納できることは、実施の形態１と同様であるので、図示および説明を省略する。
【００１８】
次に、ＵＳＢコネクタに代わって、別機能部品を採用した場合の実施の形態を参考までに説明する。
＜実施の形態３〜５＞
図５は、本考案に係る携帯用具の実施の形態３〜５を示す正面図であり、（Ａ）が爪やすり、（Ｂ）がライト、（Ｃ）がＯＡクリーナーブラシをそれぞれ示す。
図５の（Ａ）において、実施の形態３の爪やすり３１は、先端に、やすり部３２を突出させた本体３３と、この本体を保護支持する保護支持体３４とを備え、全体として円盤状（円板状）に構成している（３２ｍｍφ、厚み７ｍｍ）。本体３３と保護支持体３４との関係構造は、実施の形態１と同様であり、図示および説明を省略する。以下、同様である。
【００１９】
図５の（Ｂ）において、実施の形態４のライト４１は、ライト部４２を突出させた本体４３と、この本体を保護支持する保護支持体４４とを備えている（全体として３２ｍｍ×２３ｍｍ、厚み７ｍｍ）。なお、４５はライト部４２のボタンスイッチである。（Ｃ）において、実施の形態５のＯＡクリーナーブラシ５１は、ブラシ部５２を突出させた本体５３と、この本体を保護支持する保護支持体５４とを備えている（全体として３２ｍｍ×２３ｍｍ、厚み７ｍｍ）。
【００２０】
＜実施の形態６〜８＞
図６は、本考案に係る携帯用具の実施の形態６〜８を示す斜視図であり、（Ａ）がボールペン、（Ｂ）がタッチペン、（Ｃ）がドライバーをそれぞれ示す。
図６の（Ａ）において、実施の形態６のボ−ルペン６１は、先端にボールペン先部６２を突出させた本体６３と、この本体を保護支持する保護支持体６４とを備えている（１２ｍｍφの円筒状、高さ６０ｍｍ）。本体６３と保護支持体６４との関係構造は、実施の形態１と同様であり、図示および説明を省略する。以下、同様である。
図６の（Ｂ）において、実施の形態７のタッチペン７１は、ペン先部７２を突出させた本体７３と、この本体を保護支持する保護支持体７４とを備えている（１２ｍｍφの円筒状、高さ６０ｍｍ）。（Ｃ）において、実施の形態８のドライバー８１は、マイナス(−)の先端部８２を突出させた本体８３と、この本体を保護支持する保護支持体８４とを備えている（１２ｍｍφの円筒状、高さ６０ｍｍ）。
【００２１】
＜実施の形態９〜１０＞
図７は、本考案に係る携帯用具の実施の形態９〜１０を示す斜視図であり、（Ａ）が印鑑、（Ｂ）が缶オープナーをそれぞれ示す。
図７の（Ａ）において、実施の形態９の印鑑９１は、先端に印字部９２を突出させた本体９３と、この本体を保護支持する保護支持体９４とを備え、全体として円筒状に構成している（４０ｍｍφの円筒状、高さ２０ｍｍ）。本体９３と保護支持体９４との関係構造は、実施の形態１と同様であり、図示および説明を省略する。以下、同様である。
図７の（Ｂ）において、実施の形態１０の缶オープナー１０１は、先端に刃部１０２を突出させた本体１０３と、この本体を保護支持する保護支持体１０４とを備え、全体として円盤状（円板状）に構成している（３２ｍｍφ、厚み７ｍｍ）。
【図面の簡単な説明】
【００２２】
【図１】本考案に係る携帯用具の実施の形態１を示す斜視図である。
【図２】実施の形態１の分解説明斜視図である。
【図３】実施の形態１の使用方法の一つを説明する説明斜視図であり、（Ａ）は本体を持ち上げる過程、（Ｂ）は本体を反転させる過程、（Ｃ）は本体を押し下げ、ＵＳＢコネクタを収納する過程、（Ｄ）はＵＳＢコネクタを収納した最終過程をそれぞれ示す。
【図４】本考案に係る携帯用具の実施の形態２を示す斜視図である。
【図５】本考案に係る携帯用具の実施の形態３〜５を示す正面図であり、（Ａ）が爪やすり、（Ｂ）がライト、（Ｃ）がＯＡクリーナーブラシをそれぞれ示す。
【図６】本考案に係る携帯用具の実施の形態６〜８を示す斜視図であり、（Ａ）がボールペン、（Ｂ）がタッチペン、（Ｃ）がドライバーをそれぞれ示す。
【図７】本考案に係る携帯用具の実施の形態９〜１０を示す斜視図であり、（Ａ）が印鑑、（Ｂ）が缶オープナーをそれぞれ示す。
【符号の説明】
【００２３】
１          携帯用具
２          ＵＳＢコネクタ
３          本体
４          保護支持体
５，６      回転・摺動用軸
７          位置決め凸部
８          収納凹部
９，１０    一対の係合案内溝
【図１】
0003146474.tif 000003
【図２】
0003146474.tif 000004
【図３】
0003146474.tif 000005
【図４】
0003146474.tif 000006
【図５】
0003146474.tif 000007
【図６】
0003146474.tif 000008
【図７】
0003146474.tif 000009
【手続補正書】
【提出日】平成20年7月17日(2008.7.17)
【手続補正１】
【補正対象書類名】図面
【補正対象項目名】図７
【補正方法】変更
【補正の内容】
【図７】
0003146474.tif 000010